(57)【要約】【課題】所望する印刷像が所望する印刷用紙に確実に印刷されるかどうかを印刷前に確認することができなかったという問題を解決することのできる印刷システム、印刷システムのコントローラ、および印刷システムにおける印刷像のプレビュー方法を提供することである。【解決手段】印刷機が有する給紙部各々に識別情報が設定されており、印刷データにより表現される印刷像を印刷する印刷用紙を供給する給紙部を指定すると、コントローラが該印刷データにより表現される印刷像のプレビュー画像を作成するときに、前記給紙部各々に設定された識別情報を利用してプレビュー画像を作成して表示するので、印刷データにより表現される印刷像が印刷機に備えられた複数の給紙部各々より供給されるどの印刷用紙に印刷されるかをプレビュー表示で確認することができる。【選択図】　　図７
2004118277.tif 000002
【特許請求の範囲】
【請求項１】
複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給するコントローラと、からなる印刷システムであって、
前記コントローラが、
前記給紙部を識別するための情報を設定する給紙部識別情報設定手段と、
前記印刷データの表現する印刷像を印刷する前記印刷用紙を供給する前記給紙部を指定する給紙部指定手段と、
前記印刷データの表現する印刷像のプレビュー画像を作成するプレビュー画像作成手段と、
前記印刷像のプレビュー画像を表示するプレビュー画像表示手段と、
を有し、
前記プレビュー画像作成手段が前記印刷データの表現する印刷像のプレビュー画像を作成するとき、該印刷データの表現する印刷像を印刷する前記印刷用紙を供給する前記給紙部に設定された識別情報を使用して、前記印刷データの表現する印刷像のプレビュー画像を作成して表示すること、を特徴とする印刷システム。
【請求項２】
前記印刷システムにおいて、前記コントローラが、印刷物に挿入する合紙の挿入位置を指定する合紙挿入位置指定手段と、前記合紙を供給する前記給紙部を指定する合紙給紙部指定手段と、
を有し、
前記プレビュー画像作成手段が前記印刷データの表現する印刷像のプレビュー画像を作成するとき、前記合紙挿入位置指定手段で指定した位置に挿入される合紙を供給する前記合紙給紙部指定手段で指定された前記給紙部の識別情報を使用して、合紙が挿入された状態を含む前記印刷データの表現する印刷像のプレビュー画像を作成して表示すること、を特徴とする請求項１に記載の印刷システム。
【請求項３】
前記プレビュー画像作成手段が前記印刷データの表現する印刷像のプレビュー画像を作成するとき、前記給紙部に設定された識別情報を前記プレビュー画像の背景に使用すること、を特徴とする請求項１乃至２に記載の印刷システム。
【請求項４】
前記プレビュー画像作成手段が前記印刷データの表現する印刷像のプレビュー画像を作成するとき、前記給紙部に設定された識別情報を前記プレビュー画像の周縁に使用すること、を特徴とする請求項１乃至２に記載の印刷システム。
【請求項５】
前記プレビュー画像作成手段が前記印刷データの表現する印刷像のプレビュー画像を作成するとき、前記給紙部に設定された識別情報を前記プレビュー画像の地紋に使用すること、を特徴とする請求項１乃至２に記載の印刷システム。
【請求項６】
前記プレビュー画像作成手段が作成した複数の前記印刷データの表現する印刷像のプレビュー画像の一覧を前記プレビュー表示手段にて表示すること、を特徴とする請求項１乃至２に記載の印刷システム。
【請求項７】
複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給する印刷システムのコントローラであって、
前記給紙部を識別するための識別情報を設定する給紙部識別情報設定手段と、
前記印刷データの表現する印刷像を印刷する前記印刷用紙を供給する前記給紙部を指定する給紙部指定手段と、
前記印刷データの表現する印刷像のプレビュー画像を作成するプレビュー画像作成手段と、
前記印刷像のプレビュー画像を表示するプレビュー画像を表示する表示手段と、を有し、
該印刷データの表現する印刷像を印刷する前記印刷用紙を供給する前記給紙部に設定された識別情報を使用して、前記プレビュー画像作成手段が前記印刷データの表現する印刷像のプレビュー画像を作成して表示すること、を特徴とする印刷システムのコントローラ。
【請求項８】
前記印刷システムのコントローラが、印刷物に挿入する合紙の挿入位置を指定する合紙挿入位置指定手段と、前記合紙を供給する前記給紙部を指定する合紙給紙部指定手段と、
を有し、
前記プレビュー画像作成手段が前記印刷データの表現する印刷像のプレビュー画像を作成するとき、前記合紙挿入位置指定手段で指定した位置に挿入される合紙を供給する前記合紙給紙部指定手段で指定された前記給紙部の識別情報を使用して、合紙が挿入された状態を含む前記印刷データの表現する印刷像のプレビュー画像を作成して表示すること、を特徴とする請求項７に記載の印刷システムのコントローラ。
【請求項９】
複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給するコントローラと、からなる印刷システムにおける印刷像のプレビュー方法であって、
前記給紙部を識別するための識別情報を設定する給紙部識別情報設定工程と、
前記印刷データの表現する印刷像を印刷する前記印刷用紙を供給する前記給紙部を指定する給紙部指定工程と、
前記印刷データの表現する印刷像のプレビュー画像を作成するプレビュー画像作成工程と、
前記印刷像のプレビュー画像を前記コントローラに備えられた表示部で表示するプレビュー表示工程と、
を有し、
前記プレビュー画像作成工程は、前記印刷データの表現する印刷像のプレビュー画像を作成するに際して、該印刷データの表現する印刷像を印刷する前記印刷用紙を供給する前記給紙部に設定された識別情報を使用して、前記印刷データの表現する印刷像のプレビュー画像を作成して表示すること、を特徴とする印刷システムにおける印刷像のプレビュー方法。
【請求項１０】
複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給するコントローラと、からなる印刷システムにおける印刷像のプレビュー方法であって、
前記給紙部を識別するための識別情報を設定する給紙部識別情報設定工程と、
前記印刷データの表現する印刷像を印刷する前記印刷用紙を供給する前記給紙部を指定する給紙部指定工程と、
印刷物に挿入する合紙の挿入位置を指定する合紙挿入位置指定工程と、
前記合紙を供給する前記給紙部を指定する合紙給紙部指定工程と、
前記印刷データの表現する印刷像のプレビュー画像を作成するプレビュー画像作成工程と、
前記印刷像のプレビュー画像を前記コントローラに備えられた表示部で表示するプレビュー表示工程と、
を有し、
前記プレビュー画像作成工程で前記印刷データの表現する印刷像のプレビュー画像を作成するとき、前記合紙挿入位置指定工程で指定した位置に挿入される合紙を供給する前記合紙給紙部指定工程で指定された前記給紙部の識別情報を使用して、合紙が挿入された状態を含む前記印刷データの表現する印刷像のプレビュー画像を作成して表示すること、を特徴とする請求項９に記載の印刷システムにおける印刷像のプレビュー方法。
【請求項１１】
請求項７乃至８に記載の印刷システムのコントローラを実現するためのプログラムを記録したコンピュータ読取り可能な記録媒体。
【請求項１２】
請求項７乃至８に記載の印刷システムのコントローラを実現するためのプログラム。
【発明の詳細な説明】
【０００１】
【産業上の利用分野】
本発明は、印刷機に印刷データを供給するコントローラと該コントローラから供給を受けた印刷データの表現する印刷像を印刷用紙に印刷する印刷機とからなる印刷システムに関し、特に印刷用紙への印刷を行なう前に印刷像のプレビューを実行する印刷システムに関する。
【０００２】
【従来の技術】
電子的に作成された印刷用のデータが正しく印刷されるかどうかを印刷前に判別するために、印刷データの表現する印刷像をプレビュー表示して確認を行なうことが、ワードプロセッサや表計算ソフトなどのアプリケーションにおいて行なわれている。
このようなプレビュー機能は、ページ記述言語で記述されたページデータにラスタライズ処理を行ない、該ラスタライズ処理の結果生成された印刷データにより表現される印刷像を印刷用紙に直接印刷するデジタル印刷機においても使用されている。デジタル印刷機におけるプレビュー表示では、ラスタライズ処理により生成された印刷データにより表現される印刷像が正確なものであるかどうかを、デジタル印刷機のコントローラに備えられた表示部で確認するのが一般的である。デジタル印刷機のオペレータは、印刷像のプレビュー画像を確認してから印刷を実行することにより、ラスタライズ処理の設定誤りなどによる印刷ミスを防止することができる。
【０００３】
【特許文献１】
特開２００２−５５８０３
【０００４】
【発明が解決しようとする課題】
デジタル印刷機には、印刷用紙のサイズを変更して印刷を行なう場合や、印刷用紙の種類を変更して印刷を行なう場合に備えて、複数種類の印刷用紙を各々給紙部に格納しており、所望に応じて異なった種類の印刷用紙に印刷を行なうことができる機種が存在する。
例えば、表紙、裏表紙はコート紙を使用し、本文は普通紙を使用するような書籍を作成する場合、デジタル印刷機は表紙、裏表紙に相当する印刷像をコート紙に印刷し、本文に相当する印刷像を普通紙に印刷するよう、給紙部からの給紙を制御することにより、前記所望の書籍を作成するための印刷を行なうことができる。そのために、デジタル印刷機のコントローラでは、印刷データと該印刷データにより表現される印刷像を印刷する印刷用紙とが対応するよう設定を行なっている。
【０００５】
ここで、印刷データと該印刷データにより表現される印刷像を印刷する印刷用紙とが対応する設定が正しく行なわれたか否かを印刷前に確認するための手段が存在しない、という問題が生じていた。
例えば、プレビュー画像の表示により、印刷データの表現する印刷像が正確なものであるか、印刷用紙上の所望する位置に印刷像の印刷が行なわれているか否か、については確認することはできたが、該印刷データの表現する印刷像がデジタル印刷機に格納された複数種類の印刷用紙のうち、どの印刷用紙に印刷されるかについては、プレビュー表示ではわからない。そのため、所望する印刷像が所望する印刷用紙に確実に印刷されるかどうかを印刷前に確認することができなかったのである。
【０００６】
また、印刷物同士を区別するために挿入する合紙についても、どの給紙部から給紙されるのかが容易に判断できない、という問題が生じていた。特に合紙は、通常印刷データによるプレビュー表示時には合紙については表示を行なわないため、印刷前に、印刷物間の正しい位置に正しく合紙が挿入されるかどうかを判断することができない、という問題があった。
【０００７】
従って、本発明の目的は、所望する印刷像が所望する印刷用紙に確実に印刷されるかどうかを印刷前に確認することができなかったという問題を解決することのできる印刷システム、印刷システムのコントローラ、および印刷システムにおける印刷像のプレビュー方法を提供することである。
【０００８】
【課題を解決するための手段】
かかる課題を解決する為に、請求項１に係る発明は、複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給するコントローラと、からなる印刷システムであって、前記コントローラが、前記給紙部を識別するための識別情報を設定する給紙部識別情報設定手段と、前記印刷データの表現する印刷像を印刷する前記印刷用紙を供給する前記給紙部を指定する給紙部指定手段と、前記印刷データの表現する印刷像のプレビュー画像を作成するプレビュー画像作成手段と、前記印刷像のプレビュー画像を表示するプレビュー画像表示手段と、を有し、前記プレビュー画像作成手段が前記印刷データの表現する印刷像のプレビュー画像を作成するとき、該印刷データの表現する印刷像を印刷する前記印刷用紙を供給する前記給紙部に設定された識別情報を使用して、前記印刷データの表現する印刷像のプレビュー画像を作成して表示すること、を特徴としている。
【０００９】
請求項１に記載の印刷システムは、印刷機が有する給紙部各々にコントローラが識別情報を設定しており、印刷データにより表現される印刷像を印刷する印刷用紙を供給する給紙部を指定することにより、該印刷データにより表現される印刷像のプレビュー画像を作成すると、コントローラが前記給紙部各々に設定された識別情報を利用してプレビュー画像を作成して表示するので、印刷データにより表現される印刷像が印刷機に備えられた複数の給紙部各々より供給されるどの印刷用紙に印刷されるかをプレビュー表示で確認することができる。これにより、所望する印刷像が所望する印刷用紙に確実に印刷されるかどうかを印刷前に確認することができるので、従来の問題点を解決することができる。
【００１０】
請求項２に係わる発明は、請求項１に記載の印刷システムであって、前記印刷システムにおいて、前記コントローラが、印刷物に挿入する合紙の挿入位置を指定する合紙挿入位置指定手段と、前記合紙を供給する前記給紙部を指定する合紙給紙部指定手段と、を有し、前記プレビュー画像作成手段が前記印刷データの表現する印刷像のプレビュー画像を作成するとき、前記合紙挿入位置指定手段で指定した位置に挿入される合紙を供給する前記合紙給紙部指定手段で指定された前記給紙部の識別情報を使用して、合紙が挿入された状態を含む前記印刷データの表現する印刷像のプレビュー画像を作成して表示すること、を特徴としている。
【００１１】
請求項２に記載の印刷システムは、さらに、印刷物に挿入する合紙の挿入位置を指定し、該合紙を供給する給紙部を指定することにより、コントローラが印刷像のプレビュー画像を作成するときに、前記給紙部各々に設定された識別情報を利用して合紙が挿入された状態を含むプレビュー画像を作成して表示するので、印刷データにより表現される印刷像が印刷機に備えられた複数の給紙部各々より供給されるどの印刷用紙に印刷されるか、および合紙が印刷物のどの位置に挿入されているか、をプレビュー表示で確認することができる。これにより、所望する印刷像が所望する印刷用紙に確実に印刷されるかどうかを印刷前に確認することができるので、従来の問題点を解決することができる。
【００１２】
また請求項３に係る発明は、請求項１乃至２に記載の印刷システムであって、前記プレビュー画像作成手段が前記印刷データの表現する印刷像のプレビュー画像を作成するとき、前記給紙部に設定された識別情報を前記プレビュー画像の背景に使用すること、を特徴としている。
【００１３】
請求項３に記載の印刷システムは、コントローラが前記給紙部各々に設定された識別情報を利用して該印刷データにより表現される印刷像のプレビュー画像を作成するに際して、プレビュー画像の背景に給紙部に設定された識別情報を使用する。これにより、所望する印刷像が所望する印刷用紙に確実に印刷されるかどうかを印刷前に確認することができるので、従来の問題点を解決することができる。
【００１４】
更に請求項４に係る発明は、請求項１乃至２に記載の印刷システムであって、前記プレビュー画像作成手段が前記印刷データの表現する印刷像のプレビュー画像を作成するとき、前記給紙部に設定された識別情報を前記プレビュー画像の周縁に使用すること、を特徴としている。
【００１５】
請求項４に記載の印刷システムは、コントローラが前記給紙部各々に設定された識別情報を利用して該印刷データにより表現される印刷像のプレビュー画像を作成するに際して、プレビュー画像の周縁に給紙部に設定された識別情報を使用する。これにより、所望する印刷像が所望する印刷用紙に確実に印刷されるかどうかを印刷前に確認することができるので、従来の問題点を解決することができる。
【００１６】
また請求項５に係る発明は、請求項１乃至２に記載の印刷システムであって、前記プレビュー画像作成手段が前記印刷データの表現する印刷像のプレビュー画像を作成するとき、前記給紙部に設定された識別情報を前記プレビュー画像の地紋に使用すること、を特徴としている。
【００１７】
請求項５に記載の印刷システムは、コントローラが前記給紙部各々に設定された識別情報を利用して該印刷データにより表現される印刷像のプレビュー画像を作成するに際して、プレビュー画像の地紋に給紙部に設定された識別情報を使用する。これにより、所望する印刷像が所望する印刷用紙に確実に印刷されるかどうかを印刷前に確認することができるので、従来の問題点を解決することができる。
【００１８】
請求項６に係る発明では、請求項１乃至２に記載の印刷システムであって、前記プレビュー画像作成手段が作成した複数の前記印刷データの表現する印刷像のプレビュー画像の一覧を前記プレビュー表示手段にて表示すること、を特徴としている。
【００１９】
請求項６に記載の印刷システムは、コントローラのプレビュー画像作成手段により作成された複数のプレビュー画像の一覧をプレビュー表示手段で表示するとき、前記給紙部各々に設定された識別情報を使用してプレビュー画像各々の表示を行なうことにより、印刷データ各々により表現される印刷像が、印刷機に備えられた複数の給紙部各々より給紙されるどの印刷用紙に印刷されるかを確認することができる。これにより、所望する印刷像が所望する印刷用紙に確実に印刷されるかどうかを印刷前に確認することができるので、従来の問題点を解決することができる。
【００２０】
加えて請求項７に係る発明では、複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給する印刷システムのコントローラであって、前記給紙部を識別するための識別情報を設定する給紙部識別情報設定手段と、前記印刷データの表現する印刷像を印刷する前記印刷用紙を供給する前記給紙部を指定する給紙部指定手段と、前記印刷データの表現する印刷像のプレビュー画像を作成するプレビュー画像作成手段と、前記印刷像のプレビュー画像を表示するプレビュー画像を表示する表示手段と、を有し、該印刷データの表現する印刷像を印刷する前記印刷用紙を供給する前記給紙部に設定された識別情報を使用して、前記プレビュー画像作成手段が前記印刷データの表現する印刷像のプレビュー画像を作成し表示すること、を特徴としている。
【００２１】
請求項７に記載の印刷システムのコントローラは、印刷機の給紙部各々に識別情報を設定しており、印刷データにより表現される印刷像を印刷する印刷用紙を供給する給紙部を指定すると、該印刷データにより表現される印刷像のプレビュー画像を作成するときに、前記給紙部各々に設定された識別情報を利用してプレビュー画像を作成して表示するので、印刷データにより表現される印刷像が印刷機に備えられた複数の給紙部各々より供給されるどの印刷用紙に印刷されるかをプレビュー表示で確認することができる。これにより、所望する印刷像が所望する印刷用紙に確実に印刷されるかどうかを印刷前に確認することができるので、従来の問題点を解決することができる。
【００２２】
請求項８に係わる発明は、請求項７に記載の印刷システムのコントローラであって、印刷物に挿入する合紙の挿入位置を指定する合紙挿入位置指定手段と、前記合紙を供給する前記給紙部を指定する合紙給紙部指定手段と、を有し、前記プレビュー画像作成手段が前記印刷データの表現する印刷像のプレビュー画像を作成するとき、前記合紙挿入位置指定手段で指定した位置に挿入される合紙を供給する前記合紙給紙部指定手段で指定された前記給紙部の識別情報を使用して、合紙が挿入された状態を含む前記印刷データの表現する印刷像のプレビュー画像を作成して表示すること、を特徴としている。
【００２３】
請求項８に記載の印刷システムのコントローラは、さらに、印刷物に挿入する合紙の挿入位置を指定し、該合紙を供給する給紙部を指定することにより、印刷像のプレビュー画像を作成するときに、前記給紙部各々に設定された識別情報を利用して合紙が挿入された状態を含むプレビュー画像を作成して表示するので、印刷データにより表現される印刷像が印刷機に備えられた複数の給紙部各々より供給されるどの印刷用紙に印刷されるか、および合紙が印刷物のどの位置に挿入されているか、をプレビュー表示で確認することができる。これにより、所望する印刷像が所望する印刷用紙に確実に印刷されるかどうかを印刷前に確認することができるので、従来の問題点を解決することができる。
【００２４】
また、請求項９に係わる発明は、複数種類の印刷用紙を格納した給紙部を有し、該給紙部より給紙される前記複数種類の印刷用紙各々に印刷データの表現する印刷像の印刷を行なう印刷機と、前記印刷機に前記印刷データを供給するコントローラと、からなる印刷システムにおける印刷像のプレビュー方法であって、前記給紙部を識別するための識別情報を設定する給紙部識別情報設定工程と、前記印刷データの表現する印刷像を印刷する前記印刷用紙を供給する前記給紙部を指定する給紙部指定工程と、前記印刷データの表現する印刷像のプレビュー画像を作成するプレビュー画像作成工程と、前記印刷像のプレビュー画像を前記コントローラに備えられた表示部で表示するプレビュー表示工程と、を有し、前記プレビュー画像作成工程は、前記印刷データの表現する印刷像のプレビュー画像を作成するに際して、該印刷データの表現する印刷像を印刷する前記印刷用紙を供給する前記給紙部に設定された識別情報を使用して、前記印刷データの表現する印刷像のプレビュー画像を作成して表示すること、を特徴としている。
【００２５】
請求項９に記載の印刷システムにおける印刷像のプレビュー方法は、印刷機が有する給紙部各々にコントローラが識別情報を設定しており、印刷データにより表現される印刷像を印刷する印刷用紙を供給する給紙部を指定すると、コントローラが該印刷データにより表現される印刷像のプレビュー画像を作成するときに、前記給紙部各々に設定された識別情報を利用してプレビュー画像を作成して表示するので、印刷データにより表現される印刷像が印刷機に備えられた複数の給紙部各々より供給されるどの印刷用紙に印刷されるかをプレビュー表示で確認することができる。これにより、所望する印刷像が所望する印刷用紙に確実に印刷されるかどうかを印刷前に確認することができるので、従来の問題点を解決することができる。
【００２６】
請求項１０に係わる発明は、請求項９に記載の印刷システムにおける印刷像のプレビュー方法であって、前記給紙部を識別するための識別情報を設定する給紙部識別情報設定工程と、前記印刷データの表現する印刷像を印刷する前記印刷用紙を供給する前記給紙部を指定する給紙部指定工程と、印刷物に挿入する合紙の挿入位置を指定する合紙挿入位置指定工程と、前記合紙を供給する前記給紙部を指定する合紙給紙部指定工程と、前記印刷データの表現する印刷像のプレビュー画像を作成するプレビュー画像作成工程と、前記印刷像のプレビュー画像を前記コントローラに備えられた表示部で表示するプレビュー表示工程と、を有し、前記プレビュー画像作成工程で前記印刷データの表現する印刷像のプレビュー画像を作成するとき、前記合紙挿入位置指定工程で指定した位置に挿入される合紙を供給する前記合紙給紙部指定工程で指定された前記給紙部の識別情報を使用して、合紙が挿入された状態を含む前記印刷データの表現する印刷像のプレビュー画像を作成して表示すること、を特徴としている。
【００２７】
請求項１０に記載の印刷システムにおける印刷像のプレビュー方法は、さらに、印刷物に挿入する合紙の挿入位置を指定し、該合紙を供給する給紙部を指定することにより、コントローラが印刷像のプレビュー画像を作成するときに、前記給紙部各々に設定された識別情報を利用して合紙が挿入された状態を含むプレビュー画像を作成して表示するので、印刷データにより表現される印刷像が印刷機に備えられた複数の給紙部各々より供給されるどの印刷用紙に印刷されるか、および合紙が印刷物のどの位置に挿入されているか、をプレビュー表示で確認することができる。これにより、所望する印刷像が所望する印刷用紙に確実に印刷されるかどうかを印刷前に確認することができるので、従来の問題点を解決することができる。
【００２８】
さらに請求項１１に係わる発明は、コンピュータ読取り可能な記録媒体であって、請求項７乃至８に記載の印刷システムのコントローラを実現するためのプログラムを記録していることを特徴としている。
【００２９】
請求項１１に記載のコンピュータ読取り可能な記録媒体は、請求項７乃至８に記載の印刷システムのコントローラを実現するためのプログラムが記録されているので、一般的なコンピュータを請求項７乃至８に記載の印刷システムのコントローラとして動作させることができる。これにより、所望する印刷像が所望する印刷用紙に確実に印刷されるかどうかを印刷前に確認することができるので、従来の問題点を解決することができる。
【００３０】
加えて請求項１２に係わる発明は、請求項７乃至８に記載の印刷システムのコントローラを実現するためのプログラムである。
【００３１】
請求項１２に記載のプログラムは、請求項７乃至８に記載の印刷システムのコントローラを実現するためのプログラムなので、一般的なコンピュータを請求項７乃至８に記載の印刷システムのコントローラとして動作させることができる。これにより、所望する印刷像が所望する印刷用紙に確実に印刷されるかどうかを印刷前に確認することができるので、従来の問題点を解決することができる。
【００３２】
【発明の実施の形態】
以下、本発明について図面を使用して実施態様を説明する。
図１は、本発明に係わる印刷システム１００の構成を説明するための図である。印刷システム１００はコントローラ１と印刷機２から構成されている。コントローラ１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。ＣＰＵ１１は、コントローラ１全体を制御し、特にメディアドライブ１５に挿入されたメディアディスク１８に記録されているプログラムをメモリ１７において実行することによって、コントローラ１の機能を実現している。表示部１２は、コントローラ１におけるプレビュー画像表示に必要な情報を表示するために使用される。入力部１３は、マウスやキーボードで構成されており、コントローラ１に対してオペレータが指示を入力するために使用する。ネットワークＩ／Ｆ１４は、コントローラ１と図示しないネットワークとを接続するためのものである。ネットワークＩ／Ｆ１４を介して、コントローラ１はネットワークに接続されている図示しない端末から印刷機２において印刷を行なうためのページデータＰＤ、あるいは印刷データＲＰＤを受信することができる。また、図示しないサーバより、コントローラ１の機能を実現するプログラムをダウンロードすることも可能である。さらに、印刷機２がネットワークを介してコントローラ１１と接続されている場合には、このネットワークＩ／Ｆ１４を介して、印刷機２に印刷データＲＰＤ、あるいは合紙を挿入するための制御信号ＡＣＤを送信する。メディアドライブ１５は、メディアディスク１８に記録されているプログラムを読み取るために使用する。メディアドライブ１５で読み取られたプログラムにより、コントローラ１の機能が実現される。記憶部１６は、メディアドライブ１５で読み取られたプログラムを格納する。また、記憶部１６は、ページデータＰＤ、印刷データＲＰＤを記憶する。通信線ＣＬはコントローラ１と印刷機２とを通信可能に接続しており、コントローラ１は印刷機２に対して印刷データＲＰＤを送信する。また、合紙を挿入するための制御信号ＡＣＤについても、コントローラ１が通信線ＣＬを介して、印刷機２へ送信する。
【００３３】
印刷機２は、コントローラ１から送信された印刷データＲＰＤを直接印刷用紙２４に印刷する機能を有している。そのために、印刷機２は、制御部２０、給紙カセット２１、印刷部２２、排紙部２３を有している。
制御部２０は、印刷機２全体を制御する。制御部２０は、コントローラ１から送信された印刷データＲＰＤを受信し、該印刷データＲＰＤにより表現される印刷像を印刷するための印刷用紙２４を給紙カセット２１から選択して印刷部２２へ供給する。また、制御部２０は受信した印刷データＲＰＤを印刷部２２にて印刷可能な形式のデータへと変換し、印刷部２２へ供給する。さらに、制御部２０が制御信号ＡＣＤを受信した場合には、制御部２０は合紙として指定された印刷用紙２４を給紙カセット２１から選択して印刷部２２へ供給するが、印刷部２２に対して印刷可能な形式のデータは供給しない。これにより、合紙として指定された印刷用紙２４には印刷が行なわれずに排紙部２３に排紙される。
給紙カセット２１は、印刷機２に複数備えられている。ここでは、給紙カセット２１ａ、２１ｂ、２１ｃの３つの給紙カセット２１が印刷機２に備えられているものとする。また、給紙カセット２１は、それぞれ異なった種類の印刷用紙２４をそれぞれ格納している。給紙カセット２１は、制御部２０による制御により、図示しない搬送部を経て、印刷部２２へ印刷用紙２４を供給する。
印刷部２２は、印刷データＲＰＤにより表現された印刷像を印刷用紙２４へ印刷する。制御部２０が受信した印刷データＲＰＤは、印刷部２２にて印刷可能な形式のデータへ変換される。変換された該データにより、印刷部２２は駆動することで、印刷データＲＰＤにより表現された印刷像が印刷用紙２４へ印刷される。印刷部２２による印刷手法は、例えば電子写真方式、インクジェット方式、熱昇華方式などの無版印刷、あるいは有版印刷などを使用することができる。
排紙部２３は、印刷部２２にて印刷が行なわれた印刷用紙２４を集積する。また、印刷が行なわれずに合紙として排紙された印刷用紙２４についても、排紙部２３が集積する。その結果、排紙部２３に集積した印刷用紙２４は印刷物２５として取り扱われることになる。
【００３４】
メモリ１７は、記憶部１６によって記憶されたプログラムをＣＰＵ１１が実行するためのワークエリアである。ＣＰＵ１１によってプログラムが実行された結果、メモリ１７において、給紙カセット識別情報設定部１７１、給紙カセット指定部１７２、合紙挿入位置指定部１７３、合紙給紙カセット指定部１７４、プレビュー画像作成部１７５、プレビュー画像表示部１７６の機能が実現する。
【００３５】
給紙カセット識別情報設定部１７１は、印刷機２に備えられた給紙カセット２１各々に対して、給紙カセット２１各々を識別するための給紙カセット識別情報ＣＣを設定する。設定された給紙カセット識別情報ＣＣは、後述するプロセスにおいて、プレビュー画像ＰＶに使用されることにより、該プレビュー画像ＰＶを作成するために使用した印刷データＲＰＤにより表現される印刷像を印刷する印刷用紙２４を供給する給紙カセット２１を識別することが可能となる。給紙カセット識別情報ＣＣとしては、色に関する情報や、給紙カセット２１のカセット番号、給紙カセット２１の名称などを使用することができる。
また、給紙カセット識別情報設定部１７１で設定された給紙カセット識別情報ＣＣは、合紙を供給する給紙カセット２１を識別することについても使用される。
【００３６】
給紙カセット指定部１７２は、印刷データＲＰＤにより表現される印刷像を印刷する印刷用紙２４を供給する給紙カセット２１を指定する。給紙カセット指定部１７２によって、印刷データＲＰＤに対する給紙カセット２１が指定されると、該印刷データＲＰＤにより表現される印刷像を印刷機２で印刷する際、該指定された給紙カセット２１に格納された印刷用紙２４が供給され、印刷が行なわれる。給紙カセット指定部１７２で指定された給紙カセット２１に関する給紙カセット指定情報ＣＪは、後述する給紙カセット−印刷データ対応テーブル１７５１に格納される。
【００３７】
合紙挿入位置指定部１７３は、後述する印刷物２５を作成する際に挿入する合紙の挿入位置を指定する。合紙は、排紙部２３に集積した印刷用紙２４各々を区別する際に使用される。合紙は、印刷用紙２４とは異なった種類（例えば、色、用紙サイズなど）の用紙であることが望ましい。また、通常合紙には印刷が行なわれない。合紙挿入位置指定部１７３で指定された合紙位置情報ＡＩは、給紙カセット−印刷データ対応テーブル１７５１に格納される。
【００３８】
合紙給紙カセット指定部１７４は、合紙として使用する印刷用紙２４を格納した給紙カセット２１を指定する。合紙給紙カセット指定部１７４で指定された給紙カセット２１に関する合紙給紙カセット情報ＡＪは、給紙カセット−印刷データ対応テーブル１７５１に格納される。
【００３９】
プレビュー画像作成部１７５は、印刷データＲＰＤにより表現される印刷像を表示部１２にて表示するためのプレビュー画像ＰＶを作成する。そのために、プレビュー画像作成部１７５は、給紙カセット−印刷データ対応テーブル１７５１、プレビュー画像−給紙カセット識別情報合成部１７５２を備えている。
給紙カセット−印刷データ対応テーブル１７５１は、印刷データＲＰＤと、給紙カセット指定部１７２において指定された給紙カセット２１との対応を格納したテーブルである。給紙カセット−印刷データ対応テーブル１７５１は、印刷データＲＰＤと給紙カセット指定情報ＣＪとを関連付けて格納している。また、給紙カセット−印刷データ対応テーブル１７５１は、合紙給紙カセット指定部１７４にて指定された給紙カセット２１と印刷データＲＰＤとの対応についても格納を行なう。このとき、後述する合紙給紙カセット情報ＡＪに対応する印刷データＲＰＤは存在していないため、合紙挿入位置指定部１７３にて指定された合紙位置情報ＡＩと合紙給紙カセット情報ＡＪとを関連付けて、給紙カセット−印刷データ対応テーブル１７５１は格納を行なう。
プレビュー画像−給紙カセット識別情報合成部１７５２は、給紙カセット−印刷データ対応テーブル１７５１に格納された印刷データＲＰＤと給紙カセット２１との対応に基づいて、プレビュー画像作成部１７５が作成したプレビュー画像ＰＶと、給紙カセット識別情報設定部１７１で設定された給紙カセット識別情報ＣＣに基づく合成を行ない、給紙カセット対応プレビュー画像ＣＰＶを作成する。プレビュー画像−給紙カセット識別情報合成部１７５２によるプレビュー画像ＰＶと給紙カセット識別情報ＣＣとに基づいて作成される給紙カセット対応プレビュー画像ＣＰＶは、例えばプレビュー画像ＰＶの背景が給紙カセット識別情報ＣＣとして設定された色であったり、プレビュー画像ＰＶの周縁部が給紙カセット識別情報ＣＣとして設定された色であったりする。あるいは、プレビュー画像ＰＶの地紋が給紙カセット識別情報ＣＣとして設定された色である給紙カセット対応プレビュー画像ＣＰＶである。また、給紙カセット識別情報ＣＣとして給紙カセット２１のカセット番号、あるいは給紙カセット２１の名称が設定された場合には、プレビュー画像−給紙カセット識別情報合成部１７５２は、該カセット番号あるいは給紙カセット名称を、プレビュー画像ＰＶの背景、周縁、あるいは地紋として使用した給紙カセット対応プレビュー画像ＣＰＶを作成する。
さらに、給紙カセット−印刷データ対応テーブル１７５１における合紙位置情報ＡＩと給紙カセット２１との対応に基づいても、プレビュー画像−給紙カセット識別情報合成部１７５２は給紙カセット対応プレビュー画像ＣＰＶを作成する。この場合、合紙給紙カセット指定部１７４で指定された給紙カセット２１については印刷データＲＰＤが存在していないため、プレビュー画像−給紙カセット識別情報合成部１７５２は、給紙カセット識別情報ＣＣのみが表示された給紙カセット対応プレビュー画像ＣＰＶを作成する。
【００４０】
プレビュー画像表示部１７６は、プレビューウィンドウＰＷを表示部１２へ表示し、該プレビューウィンドウＰＷ内にプレビュー画像作成部１７５で作成された給紙カセット対応プレビュー画像ＣＰＶを表示する。また、プレビュー画像表示部１７５は、プレビュー画像一覧表示部１７５１を備えており、プレビュー画像作成部１７５で作成された給紙カセット対応プレビュー画像ＣＰＶが複数存在する場合には、給紙カセット対応プレビュー画像ＣＰＶをそれぞれ縮小した一覧形式で、プレビューウィンドウＰＷへ表示する。
【００４１】
図２は、印刷システム１００の動作を説明するためのフローチャートである。ステップＳ１において、印刷データＲＰＤをコントローラ１の記憶部１６に格納する。印刷データＲＰＤは、図示しない端末で作成されたページ記述言語により作成されたページデータＰＤを、ネットワークＩ／Ｆ１４を介して受信し、印刷システム１００に備えられた図示しないラスタライズ処理部によるラスタライズ処理を行なうことにより、得ることができる。あるいは、図示しない端末において作成された印刷データＲＰＤを、印刷システム１００がネットワークＩ／Ｆ１４を介して受信し、格納するようにしてもよい。あるいは、メディアディスク１８に格納された印刷データＲＰＤを、メディアドライブ１５を利用して読み込むようにしてもよい。
【００４２】
ステップＳ２で、給紙カセット識別情報設定部１７１が、給紙カセット識別情報ＣＣを設定する。オペレータはコントローラ１の入力部１３を操作し、給紙カセット識別情報設定部１７１に対する給紙カセット識別情報ＣＣの設定について入力を行なう。
【００４３】
図３（ａ）は、給紙カセット識別情報ＣＣを設定するために、給紙カセット識別情報設定部１７１が表示部１２に表示する給紙カセット識別情報設定メニューＭＣＣを説明するための図である。給紙カセット識別情報設定メニューＭＣＣには、オペレータの入力により給紙カセット識別情報ＣＣを設定するために、給紙カセット名表示欄３１、給紙カセット色指定欄３２、色変更ボタン３３が備えられており、さらにＯＫボタン３４、キャンセルボタン３５が備えられている。
【００４４】
給紙カセット名表示欄３１は、印刷機２に備えられた給紙カセット２１の名称および格納されている印刷用紙２４の種類（用紙サイズ、用紙種類など）を表示する。給紙カセット名表示欄３１に表示される給紙カセット２１の名称は、印刷機に備えられた給紙カセット２１の個数に合わせて、給紙カセット識別情報設定部１７１が給紙カセット識別情報設定メニューＭＣＣに表示を行なう。給紙カセット名表示欄３１における給紙カセット２１の名称および格納されている印刷用紙２４の種類の表示は、給紙カセット識別情報設定部１７１が、通信線ＣＬを介して、印刷機２の制御部２０が管理している給紙カセット２１の個数および格納している印刷用紙２４の種類に関する情報を取得することにより実行される。また、オペレータが別個に給紙カセット識別情報設定部１７１に対して印刷機２に備えられた給紙カセット２１の名称および個数、並びに格納されている印刷用紙２４の種類を入力するようにしてもよい。
【００４５】
給紙カセット色指定欄３２および色変更ボタン３３は、給紙カセット識別情報ＣＣとして、給紙カセット２１各々ごとに色情報を設定するために使用する。給紙カセット色指定欄３２と色変更ボタン３３は、それぞれセットになっている。給紙カセット識別情報設定部１７１は、給紙カセット名表示欄３１に表示された給紙カセット２１ごとに、給紙カセット色指定欄３２および色変更ボタン３３を給紙カセット識別情報設定メニューＭＣＣに表示する。オペレータが入力部１３を操作して、表示されたどれか一つの色変更ボタン３３を押下すると、給紙カセット識別情報設定部１７１が該色変更ボタン３３に対応する給紙カセット色指定欄３２に複数の色に関する情報を表示する。オペレータはさらに入力部１３を操作して、給紙カセット色指定欄３２に表示された複数の色に関する情報のうち、所望する色を選択する。この操作を繰り返すことにより、給紙カセット識別情報設定部１７１が、給紙カセット２１ごとに選択された色情報が対応するように、給紙カセット識別情報ＣＣを設定する。
【００４６】
ＯＫボタン３４は、給紙カセット識別情報設定メニューＭＣＣに対する入力が終了したとき、押下するためのものである。オペレータは、給紙カセット色指定欄３２各々に対する色情報の選択を終了し、その結果に満足したならば、入力部１３を操作して、ＯＫボタン３４を押下する。これにより、給紙カセット識別情報設定部１７１は給紙カセット識別情報設定メニューＭＣＣの表示を終了し、該給紙カセット識別情報設定メニューＭＣＣに入力された内容で、給紙カセット設定情報ＣＣを設定する。キャンセルボタン３５は、給紙カセット識別情報設定メニューＭＣＣの表示を中断したいときに押下する。それにより、給紙カセット識別情報設定部１７１は、給紙カセット識別情報ＣＣの設定終了を待たずに、給紙カセット識別情報設定メニューＭＣＣの表示を終了する。
【００４７】
図３（ｂ）は、給紙カセット識別情報設定メニューＭＣＣに対する入力の結果、給紙カセット識別情報設定部１７１が設定した給紙カセット識別情報ＣＣを説明するための図である。オペレータが、給紙カセット識別情報設定メニューＭＣＣに表示された給紙カセット色指定欄３２において、「Ａ４サイズ、コート紙」が格納されている給紙カセット２１ａ「＃１」に対して「Ｒ（赤）」、「Ａ４サイズ、普通紙」が格納されている給紙カセット２１ｂ「＃２」に対して「Ｇ（緑）」、「Ａ４サイズ、色紙」が格納されている給紙カセット２１ｃ「＃３」に対して「Ｂ（青）」を色変更ボタン３３の押下により指定すると、給紙カセット識別情報設定部１７１は、図３（ｂ）に示すように、給紙カセット２１各々ごとに対応する色情報を有するような給紙カセット識別情報ＣＣを設定する。給紙カセット識別情報ＣＣは、一時的にメモリ１７に記憶される。
【００４８】
図２に戻り、ステップＳ３において、給紙カセット指定部１７２が、印刷データＲＰＤにより表現される印刷像を印刷する印刷用紙２４を供給する給紙カセット２１を指定する。オペレータが、コントローラ１の入力部１３を操作して給紙カセット指定部１７２に対して入力を行なうことにより、印刷データＲＰＤを印刷する印刷用紙２４を供給する給紙カセット２１を指定するための給紙カセット指定情報ＣＪが作成される。
【００４９】
図４（ａ）は、給紙カセット指定情報ＣＪを作成するため、給紙カセット指定部１７２が表示部１２に表示する給紙カセット指定メニューＭＣＪを説明するための図である。給紙カセット指定メニューＭＣＪは、オペレータの入力により給紙カセット２１を指定するため、給紙カセット名表示欄４１、印刷データ指定欄４２、印刷データ変更ボタン４３、ＯＫボタン４４、キャンセルボタン４５を備えている。なお、給紙カセット名表示欄４１は、図３に示した給紙カセット名表示欄３１と同様のものなので、説明を省略する。
【００５０】
印刷データ指定欄４２および印刷データ変更ボタン４３は、給紙カセット指定情報ＣＪとして、給紙カセット２１各々ごとに印刷データＲＰＤを指定するために使用する。印刷データ指定欄４２および印刷データ変更ボタン４３はそれぞれセットになっている。給紙カセット指定部１７２は、給紙カセット名表示欄４２に表示された給紙カセット２１ごとに、印刷データ指定欄４２および印刷データ変更ボタン４３を給紙カセット指定メニューＭＣＪに表示する。オペレータが入力部１３を操作して、表示されたどれか一つの印刷データ変更ボタン４３を押下すると、給紙カセット指定部１７２は記憶部１６を検索し、該記憶部１６に格納されている印刷データＲＰＤの一覧を印刷データ指定欄４２に表示する。オペレータはさらに入力部１３を操作して、印刷データ指定欄４２に表示された複数の印刷データＲＰＤから、所望する印刷データＲＰＤを選択する。この操作を繰り返すことにより、給紙カセット指定部１７２が、給紙カセット２１ごとに格納された印刷用紙２４を選択された印刷データＲＰＤを印刷するために供給するように、給紙カセット指定情報ＣＪを作成する。
【００５１】
ＯＫボタン４４は、給紙カセット指定メニューＭＣＪに対する入力が終了したとき、押下するためのものである。オペレータは、印刷データ指定欄４２各々に対する印刷データＲＰＤの選択を終了し、その結果に満足したならば、入力部１３を操作して、ＯＫボタン４４を押下する。これにより、給紙カセット指定部１７２は給紙カセット指定メニューＭＣＪの表示を終了し、該給紙カセット指定メニューＭＣＪに入力された内容で、給紙カセット指定情報ＣＪを設定する。キャンセルボタン４５は、給紙カセット指定メニューＭＣＪの表示を中断したいときに押下する。それにより、給紙カセット指定部１７２は、給紙カセット指定情報ＣＪの作成終了を待たずに、給紙カセット指定メニューＭＣＪの表示を終了する。
【００５２】
図４（ｂ）は、給紙カセット指定メニューＭＣＪに対する入力の結果、給紙カセット指定部１７２が作成した給紙カセット指定情報ＣＪを説明するための図である。オペレータが、給紙カセット指定メニューＭＣＪに表示された印刷データ選択ボタン４３を押下することによって、印刷データ指定欄４２において、給紙カセット２１ａ「＃１」に対して「ＲＰＤ１」、給紙カセット２１ｂ「＃２」に対して「ＲＰＤ２」と印刷データＲＰＤを指定すると、給紙カセット指定部１７２は図４（ｂ）に示すように、給紙カセット２１各々ごとに印刷データＲＰＤが対応している給紙カセット指定情報ＣＪを作成する。これにより、後述するプロセスにおいて、印刷機２は印刷データＲＰＤ１を印刷するとき、給紙カセット２１ａ「＃１」から印刷用紙２４を供給し、印刷データＲＰＤ２を印刷するとき給紙カセット２１ｂ「＃２」から印刷用紙２４を供給して印刷を実行する。給紙カセット指定情報ＣＪは、一時的にメモリ１７に記憶される。
【００５３】
再び図２に戻り、ステップＳ４において、オペレータは合紙を使用するか否かを選択する。複数の印刷物２５同士を区別するために合紙を使用する場合には、ステップＳ５へ移行する。合紙を使用しない場合には、ステップＳ６へ移行する。
【００５４】
ステップＳ５では、合紙挿入位置指定部１７３が合紙を挿入する位置を指定し、合紙給紙カセット指定部１７４が合紙を供給する給紙カセット２１を指定する。
【００５５】
図５（ａ）は、合紙挿入位置指定部１７３が合紙を挿入する位置を指定するために、表示部１２に表示する合紙挿入位置指定メニューＭＡＩを説明するための図である。合紙挿入位置指定メニューＭＡＩは、オペレータの入力により印刷物２５に合紙を挿入する位置を指定する合紙挿入位置情報ＡＩを作成するため、ジョブ別合紙挿入指定欄５１、ページ指定合紙挿入指定欄５２、繰り返し合紙挿入指定欄５３、およびＯＫボタン５４並びにキャンセルボタン５４を備えている。
【００５６】
ジョブ別合紙挿入指定欄５１は、印刷データＲＰＤによる印刷を一つのジョブとみなして、印刷データＲＰＤによる印刷が行なわれるごとに合紙を挿入する際に使用する。オペレータは入力部１３を操作して、ジョブ別合紙挿入指定欄５１に備えられた合紙挿入位置指定ボタン５１ａを押下することにより、合紙挿入位置指定部１７３は合紙挿入位置指定情報ＡＩを作成する。
【００５７】
ページ指定合紙挿入指定欄５２は、印刷物２５の特定の部分に合紙を挿入する際に使用する。オペレータは入力部１３を操作して、ページ指定合紙挿入指定欄５２に備えられた合紙挿入位置指定ボタン５２ａを押下し、ページ指定欄５２ｂに合紙を挿入するページ番号を入力する。これにより、合紙挿入位置指定部１７３は、ページ指定欄５２ｂに入力されたページ番号に合紙を挿入するよう、合紙挿入位置指定情報ＡＩを作成する。
【００５８】
繰り返し合紙挿入指定欄５３は、印刷物２５において特定のページごとに合紙を挿入する際に使用する。オペレータは入力部１３を操作して、繰り返し合紙挿入指定欄５３に備えられた合紙挿入位置指定ボタン５３ａを押下し、ページ指定欄５３ｂに合紙を挿入するページ番号を入力する。これにより、合紙挿入位置指定部１７３は、ページ指定欄５３ｂに入力されたページごとに合紙を挿入するよう、合紙挿入位置指定情報ＡＩを作成する。
【００５９】
ＯＫボタン５４は、合紙挿入位置指定メニューＭＡＩに対する入力を終了した後に押下する。オペレータが入力部１３を操作して、ＯＫボタン５４を押下することにより、合紙挿入位置指定部１７３は合紙挿入位置指定メニューＭＡＩの表示を終了し、該合紙挿入位置指定メニューＭＡＩに入力された内容で合紙挿入位置指定情報ＡＩを作成する。キャンセルボタン５５は、合紙挿入位置指定メニューＭＡＩに対する入力を中断するときに押下する。これにより、合紙挿入位置指定部１７３は合紙挿入位置指定情報ＡＩを作成することなく、合紙挿入位置指定メニューＭＡＩの表示を終了する。
【００６０】
図５（ｂ）は、合紙挿入位置指定メニューＭＡＩに対する入力の結果、合紙挿入位置指定部１７３が作成した合紙挿入位置指定情報ＡＩを説明するための図である。オペレータが合紙挿入位置指定メニューＭＡＩに対して、合紙挿入位置指定ボタン５１ａを押下した場合、図示するように、印刷データＲＰＤが印刷用紙２４に印刷される毎に、合紙が挿入される合紙挿入位置指定情報ＡＩが作成される。作成された合紙挿入位置指定情報ＡＩは、一時的にメモリ１７に記憶される。
【００６１】
続いて、合紙を供給する給紙カセット２１を指定するため、合紙給紙カセット指定部１７４が、合紙給紙カセット指定メニューＭＡＪを表示部１２に表示する。
【００６２】
図６（ａ）は、合紙給紙カセット指定部１７４が表示部１２に表示する合紙給紙カセット指定メニューＭＡＪを説明するための図である。合紙給紙カセット指定メニューＭＡＪは、合紙を供給する給紙カセット２１を指定する合紙給紙カセット指定情報ＡＪを作成するため、合紙給紙カセット指定欄６１および合紙給紙カセット変更ボタン６２、ＯＫボタン６３、キャンセルボタン６４を備えている。
【００６３】
合紙給紙カセット指定欄６１および合紙給紙カセット変更ボタン６２は、合紙給紙カセット指定情報ＡＪとして、合紙を供給する給紙カセット２１を指定するために使用する。合紙給紙カセット指定欄６１および合紙給紙カセット変更ボタン６２は、それぞれセットになっている。オペレータが入力部１３を操作して、合紙給紙カセット変更ボタン６２を押下すると、合紙給紙カセット指定部１７４は印刷機２に備えられた給紙カセット２１の一覧を合紙給紙カセット指定欄６１に表示する。オペレータはさらに入力部１３を操作して、合紙給紙カセット指定欄６１に表示された複数の給紙カセット２１から、所望する給紙カセット２１を選択する。これにより、合紙給紙カセット指定部１７４が、指定された給紙カセットから合紙を供給するように、合紙給紙カセット指定情報ＡＪを作成する。
【００６４】
ＯＫボタン６３は、合紙給紙指定カセットメニューＭＡＪに対する入力を終了した後に押下する。オペレータが入力部１３を操作して、ＯＫボタン６３を押下することにより、合紙給紙カセット指定部１７４は合紙給紙カセット指定メニューＭＡＪの表示を終了し、該合紙給紙カセット指定メニューＭＡＪに入力された内容で合紙給紙カセット指定情報ＡＪを作成する。キャンセルボタン６４は、合紙給紙カセット指定メニューＭＡＪに対する入力を中断するときに押下する。これにより、合紙給紙カセット指定部１７４は合紙給紙カセット指定情報ＡＪを作成することなく、合紙給紙カセット指定メニューＭＡＪの表示を終了する。
【００６５】
図６（ｂ）は、合紙給紙カセット指定メニューＭＡＪに対する入力の結果、合紙給紙カセット指定部１７４が作成した合紙給紙カセット指定情報ＡＪを説明するための図である。オペレータが合紙給紙カセット指定メニューＭＡＪに対して、給紙カセット２１ｃ「＃３」を合紙給紙カセットと指定するように、合紙給紙カセット指定欄６１および合紙給紙カセット変更ボタン６２に対する入力を行なった場合、図示するように、合紙給紙カセットを給紙カセット２１ｃ「＃３」とする合紙給紙カセット指定情報ＡＪが作成される。作成された合紙給紙カセット指定情報ＡＪは、一時的にメモリ１７に記憶される。
【００６６】
なお、ここまでの説明では、ステップＳ１からステップＳ５までの順序で印刷システム１００が動作するよう説明を行なってきたが、印刷システム１００の動作はこの順序には限られない。例えば、ステップＳ４からステップＳ５の動作をステップＳ１からステップＳ３の動作よりも先に実行してもよい。あるいは、ステップＳ２とステップＳ３の順序を入れ替えて行なってもよい。
また、給紙カセット識別情報設定メニューＭＣＣ、給紙カセット指定メニューＭＣＪ、合紙挿入位置指定メニューＭＡＩ、合紙給紙カセット指定メニューＭＡＪはそれぞれ別個に表示されるよう説明を行なってきたが、これらメニューを同時に表示部１２へ表示してもよい。さらに、これらメニューを統合した設定用メニューを表示部１２へ表示するようにしてもよい。
【００６７】
また図２へ戻り、ステップＳ６において、印刷システム１００のコントローラ１は、表示部１２において、印刷データＲＰＤのプレビュー表示を行なう。
【００６８】
図７はステップＳ６における印刷システム１００のコントローラ１の動作を詳細に説明するためのフローチャートである。まず、ステップＳ６１において、プレビュー画像作成部１７５が、印刷データＲＰＤのプレビュー表示に関するプレビュー表示設定情報ＰＪを作成する。
【００６９】
図８（ａ）は、プレビュー画像作成部１７５が表示部１２に表示するプレビュー表示設定メニューＭＰＪを説明するための図である。オペレータが入力部１３を操作して、このプレビュー表示設定メニューＭＰＪに対して入力を行なうことにより、プレビュー画像作成部１７５はプレビュー表示設定情報ＰＪを作成する。そのために、プレビュー表示設定メニューＭＰＪは、プレビュー画像表示形式設定欄８１、給紙カセット識別表示設定欄８２、プレビュー画像指定欄８３、ＯＫボタン８４、キャンセルボタン８５を備えている。
【００７０】
プレビュー画像表示形式設定欄８１は、プレビューウィンドウＰＷに表示するプレビュー画像ＰＶの表示形式を設定するためのものであり、具体的にはプレビューウィンドウＰＷにプレビュー画像ＰＶを単ページで表示するか、複数のプレビュー画像ＰＶを一覧形式で表示するか、を設定する。そのために、プレビュー画像表示形式設定欄８１は、単ページ指定ボタン８１ａ、一覧指定ボタン８１ｂを備えている。オペレータがプレビューウィンドウＰＷに表示されるプレビュー画像ＰＶとして、単ページを所望する場合には、入力部１３を操作して、単ページ指定ボタン８１ａを押下する。逆に、複数のプレビュー画像ＰＶの一覧を表示することを所望する場合には、一覧指定ボタン８１ｂを押下する。
なお、単ページ指定ボタン８１ａ、一覧指定ボタン８１ｂに対する押下は排他的なものであり、同時に押下することはできない。
【００７１】
給紙カセット識別表示設定欄８２は、プレビュー画像ＰＶに合成して表示される給紙カセット識別情報ＣＣの表示形式について設定するためのものである。そのために、給紙カセット識別表示設定欄８２は、背景表示ボタン８２ａ、周縁表示ボタン８２ｂ、地紋表示ボタン８２ｃを備えている。
【００７２】
背景表示ボタン８２ａは、オペレータがプレビューウィンドウＰＷに表示されたプレビュー画像ＰＶの背景を給紙カセット識別情報ＣＣの表示形式で表示するのを所望した場合に押下する。
周縁表示ボタン８２ｂは、オペレータがプレビューウィンドウＰＷに表示されたプレビュー画像ＰＶの周縁部を給紙カセット識別情報ＣＣの表示形式で表示するのを所望した場合に押下する。
地紋表示ボタン８２ｃは、オペレータがプレビューウィンドウＰＷに表示されたプレビュー画像ＰＶの地紋を給紙カセット識別情報ＣＣの表示形式で表示するのを所望した場合に押下する。
なお、背景表示ボタン８２ａ、周縁表示ボタン８２ｂ、地紋表示ボタン８２ｃに対する押下は排他的なものであり、同時に押下することはできない。
【００７３】
プレビュー画像指定欄８３は、プレビューウィンドウＰＷに表示するプレビュー画像ＰＶを指定する際に使用する。オペレータが所望する印刷データＲＰＤの名称、あるいはページ数をこのプレビュー画像指定欄８３に入力することにより、プレビューウィンドウＰＷに表示されるプレビュー画像ＰＶが指定される。このプレビュー画像指定欄８３に対して、複数の印刷データＲＰＤを指定してもよい。
【００７４】
ＯＫボタン８４は、プレビュー表示設定メニューＭＰＪに対する入力を終了した後に押下する。オペレータが入力部１３を操作して、ＯＫボタン８４を押下することにより、プレビュー画像作成部１７５はプレビュー表示設定メニューＭＰＪの表示を終了し、該プレビュー表示設定メニューＭＰＪに入力された内容でプレビュー表示設定情報ＰＪを作成する。キャンセルボタン８５は、プレビュー表示設定メニューＭＰＪに対する入力を中断するときに押下する。これにより、プレビュー画像作成部１７５はプレビュー表示設定情報ＰＪを作成することなく、プレビュー表示設定メニューＭＰＪの表示を終了する。
【００７５】
図８（ｂ）は、プレビュー表示設定メニューＭＰＪに対する入力の結果、プレビュー画像作成部１７５が作成したプレビュー表示設定情報ＰＪを説明するための図である。ここでは、オペレータがプレビュー表示設定メニューＭＰＪに対して、単ページ指定ボタン８１ａ、背景表示ボタン８２ａを押下し、プレビュー画像指定欄８２に対して、表示すべき印刷データＲＰＤとして「ＲＰＤ１」、「ＲＰＤ２」を入力したものとする。その結果、プレビュー画像作成部１７５が、図示しているようなプレビュー表示設定情報ＰＪを作成する。
【００７６】
図７に戻り、ステップＳ６２で、プレビュー画像作成部１７５は、メモリ１７に一時的に記憶されている給紙カセット識別情報ＣＣ、給紙カセット指定情報ＣＪ、合紙挿入位置指定情報ＡＩ、合紙給紙カセット指定情報ＡＪを取得して、給紙カセット−印刷データ対応テーブル１７５１に格納する。
【００７７】
図９は、プレビュー画像作成部１７５が作成した給紙カセット−印刷データ対応テーブル１７５１を説明するための図である。ここでは、図３（ｂ）、図４（ｂ）、図５（ｂ）、図６（ｂ）で説明した給紙カセット識別情報ＣＣ、給紙カセット指定情報ＣＪ、合紙挿入位置指定情報ＡＩ、合紙給紙カセット指定情報ＡＪを取得して、プレビュー画像作成部１７５が給紙カセット−印刷データ対応テーブル１７５１に格納したものとする。
図示しているように、「Ａ４サイズ、コート紙」である印刷用紙２４が格納されている給紙カセット２１ａ「＃１」は、給紙カセット識別情報ＣＣとして「Ｒ（赤）」が対応している。また、給紙カセット２１ａ「＃１」から供給される印刷用紙２４に印刷される印刷データＲＰＤは「ＲＰＤ１」であることが示されている。そして、給紙カセット２１ａ「＃１」は印刷データＲＰＤを印刷するために選択されているので、合紙関連の情報は対応していない。
同様に、給紙カセット２１ｂ「＃２」についても、給紙カセット識別情報ＣＣが「Ｇ（緑）」、印刷データ「ＲＰＤ２」を印刷するための印刷用紙２４を供給することが選択されているために、やはり合紙関連の情報は対応していない。
【００７８】
一方、印刷用紙２４として「Ａ４サイズ、色紙」が格納されている給紙カセット２１ｃ「＃３」については、給紙カセット識別情報ＣＣとして「Ｂ（青）」が対応しているが、給紙カセット指定情報ＣＪで示される印刷データＲＰＤについては対応していない。しかし、合紙挿入位置指定情報ＡＩにて指定された合紙挿入位置「ｅｖｅｒｙ　Ｊｏｂ」および合紙給紙カセット指定情報ＡＪにて「＃３」が対応していることから、給紙カセット２１「＃３」は合紙を供給するために選択されていることが示されている。
【００７９】
プレビュー画像作成部１７５は、次のステップＳ６３で、この給紙カセット−印刷データ対応テーブル１７５１と、プレビュー表示設定情報ＰＪに基づいて、プレビュー画像ＰＶを作成する。ステップＳ６３において、プレビュー画像作成部１７５は、プレビュー表示設定情報ＰＪにて設定された表示すべきプレビュー画像ＰＶを作成するために、記憶部１６から印刷データＲＰＤを取得する。また、プレビュー画像作成部１７５は、給紙カセット−印刷データ対応テーブル１７５１から、取得した印刷データＲＰＤに対応する給紙カセット２１に関する情報からプレビュー表示領域ＰＥを取得する。プレビュー画像データ作成部１７５は、プレビュー表示領域ＰＥのサイズで、取得した印刷データＲＰＤから作成したプレビュー画像ＰＶを作成する。
【００８０】
例えば、プレビュー表示設定情報ＰＪにて印刷データＲＰＤ１をプレビュー表示することが設定された場合、プレビュー画像作成部１７５は記憶部１６より印刷データＲＰＤ１を取得する。そして、取得した印刷データＲＰＤ１を印刷すべき印刷用紙２４を格納した給紙カセット２１に関する情報を取得するために、給紙カセット−印刷データ対応テーブル１７５１を参照する。ここでは、図９に示した給紙カセット−印刷データ対応テーブル１７５１をプレビュー画像データ作成部１７５が参照したものとして、印刷データＲＰＤ１に対応する給紙カセット２１ａは「＃１」であり、該給紙カセット２１ａに格納されている印刷用紙２４は「Ａ４サイズ、コート紙」であることから、印刷データＲＰＤ１のプレビュー画像ＰＶ１を表示すべきプレビュー表示領域ＰＥは「Ａ４」であることが判明する。そして、プレビュー画像作成部１７５は、プレビュー表示領域ＰＥに一致するサイズになるよう、印刷データＲＰＤ１により表現される印刷像を構成する画素データを間引き・縮小するなどしてプレビュー画像ＰＶ１を作成する。
【００８１】
ステップＳ６４において、プレビュー画像作成部１７５のプレビュー画像−給紙カセット識別情報合成部１７５２が、給紙カセット−印刷データ対応テーブル１７５１、およびプレビュー表示設定情報ＰＪを参照して、給紙カセット対応プレビュー画像ＣＰＶを作成する。プレビュー画像−給紙カセット識別情報合成部１７５２は、ステップＳ６３で作成されたプレビュー画像ＰＶに対して、給紙カセット−印刷データ対応テーブル１７５１において給紙カセット２１に対応する給紙カセット識別情報ＣＣに設定されている識別情報による合成を行なう。このとき、プレビュー画像−給紙カセット識別情報合成部１７５２は、プレビュー表示設定情報ＰＪで設定された給紙カセット識別表示を参照することにより、プレビュー画像ＰＶに対する識別情報の合成態様を決定する。
【００８２】
印刷データＲＰＤのプレビュー画像ＰＶを表示するために設定されたプレビュー表示設定情報ＰＪにおいて、給紙カセット識別表示が「背景」として設定されている場合、プレビュー画像−給紙カセット識別情報合成部１７５２は給紙カセット−印刷データ対応テーブル１７５１を参照して、印刷データＲＰＤの印刷を行なう給紙カセット２１に設定された給紙カセット識別情報ＣＣの識別情報で背景画像ＢＶを作成する。背景画像ＢＶの表示サイズは、給紙カセット２１に格納された印刷用紙２４から求められるプレビュー表示領域ＰＥよりも大きければよい。そして、プレビュー画像−給紙カセット識別情報合成部１７５２は、プレビュー画像ＰＶを背景画像ＢＶに上書き合成することにより、給紙カセット対応プレビュー画像ＢＣＰＶを作成する。
【００８３】
また、印刷データＲＰＤのプレビュー画像ＰＶを表示するために設定されたプレビュー表示設定情報ＰＪにおいて、給紙カセット識別表示が「周縁」として設定されている場合、プレビュー画像−給紙カセット識別情報合成部１７５２は給紙カセット−印刷データ対応テーブル１７５１を参照して、印刷データＲＰＤの印刷を行なう給紙カセット２１に設定された給紙カセット識別情報ＣＣの識別情報で周縁画像ＳＶを作成する。周縁画像ＳＶは、給紙カセット２１に格納された印刷用紙２４から求められるプレビュー表示領域ＰＥに一致する表示サイズを有する枠型の画像である。周縁画像ＳＶを構成する枠の幅は、初期条件としてプレビュー画像−給紙カセット識別情報合成部１７５２に設定されているようにするのが望ましい。また、オペレータが別途周縁画像ＳＶの枠の幅を設定するようにしてもよい。そして、プレビュー画像−給紙カセット識別情報合成部１７５２は、周縁画像ＳＶをプレビュー画像ＰＶに上書き合成することにより、給紙カセット対応プレビュー画像ＳＣＰＶを作成する。
【００８４】
あるいは、印刷データＲＰＤのプレビュー画像ＰＶを表示するために設定されたプレビュー表示設定情報ＰＪにおいて、給紙カセット識別表示が「地紋」として設定されている場合、プレビュー画像−給紙カセット識別情報合成部１７５２は給紙カセット−印刷データ対応テーブル１７５１を参照して、印刷データＲＰＤの印刷を行なう給紙カセット２１に設定された給紙カセット識別情報ＣＣの識別情報で地紋画像ＤＶを作成する。地紋画像ＤＶは、給紙カセット２１に格納された印刷用紙２４から求められるプレビュー表示領域ＰＥに一致する表示サイズを有する画像である。そして、プレビュー画像−給紙カセット識別情報合成部１７５２は、地紋画像ＤＶをプレビュー画像ＰＶにＯＲ合成することにより、給紙カセット対応プレビュー画像ＤＣＰＶを作成する。
【００８５】
一方、表示すべきプレビューが合紙に相当する場合、ステップＳ６３においてプレビュー画像ＰＶが作成されることはない。従って、ステップＳ６３では、給紙カセット２１に格納された印刷用紙２４の用紙サイズから得られるプレビュー表示領域ＰＥのみが取得される。そして、ステップＳ６４において、プレビュー画像−給紙カセット識別情報合成部１７５２が、該プレビュー表示領域ＰＥに対して背景画像ＢＶ、周縁画像ＳＶ、あるいは地紋画像ＤＶを合成することにより、給紙カセット対応プレビュー画像ＡＣＰＶが作成される。
【００８６】
ステップＳ６５において、プレビュー画像表示部１７６が、表示部１２にプレビューウィンドウＰＷを表示し、該プレビューウィンドウＰＷ内にステップＳ６４で作成された給紙カセット対応プレビュー画像ＣＰＶを表示する。
【００８７】
図１０、図１１、図１２は、プレビューウィンドウＰＷに表示された給紙カセット対応プレビュー画像ＣＰＶを説明するためのものであり、それぞれ給紙カセット識別情報ＣＣを背景画像ＢＶとした給紙カセット対応プレビュー画像ＢＣＰＶ、給紙カセット識別情報ＣＣを周縁画像ＳＶとした給紙カセット対応プレビュー画像ＳＣＰＶ、そして給紙カセット識別情報ＣＣを地紋画像ＤＶとした給紙カセット対応プレビュー画像ＤＣＰＶを示している。
【００８８】
このように、印刷システム１００のコントローラ１においては、該印刷データＲＰＤを印刷するための印刷用紙２４を供給する給紙カセット２１に設定された給紙カセット識別情報ＣＣを使用して、給紙カセット対応プレビュー画像ＣＰＶによるプレビュー表示を行なうので、印刷データＲＰＤと給紙カセット２１との対応を容易に把握することができる。
【００８９】
また、プレビュー表示設定情報ＰＪにおいて、プレビュー表示形式について「一覧」が設定されていた場合、プレビュー画像作成部１７５は、プレビュー表示設定情報ＰＪに設定されたプレビュー画像指定分、給紙カセット−印刷データ対応テーブル１７５１に基づいて、ステップＳ６３およびＳ６４の動作を繰り返して給紙カセット対応プレビュー画像ＣＰＶを作成する。そして、プレビュー画像表示部１７６に備えられたプレビュー画像一覧表示部１７６１が、複数の給紙カセット対応プレビュー画像ＣＰＶをプレビューウィンドウＰＷ内に収まるよう縮小して、プレビュー画像表示部１７６が表示部１２に表示を行なう。
【００９０】
例えば、図９に示した給紙カセット−印刷データ対応テーブル１７５１に基づいて、印刷データＲＰＤ１、ＲＰＤ２について、プレビュー表示設定情報ＰＪにおいて、プレビュー表示形式が「一覧」、給紙カセット識別表示が「地紋」であった場合、図１３に示すようなプレビューウィンドウＰＷが表示部１２に表示される。プレビューウィンドウＰＷ内には、印刷データＲＰＤ１および給紙カセット２１ａ「＃１」に関する給紙カセット識別情報ＣＣにより作成された給紙カセット対応プレビュー画像ＤＣＰＶ１が表示され、印刷データＲＰＤ１の印刷後に合紙が入ることから、給紙カセット２１ｃ「＃３」に関する給紙カセット識別情報ＣＣより作成された給紙カセット対応プレビュー画像ＡＣＰＶが表示され、さらに印刷データＲＰＤ２および給紙カセット２１ｂ「＃２」に関する給紙カセット識別情報ＣＣにより作成された給紙カセット対応プレビュー画像ＤＣＰＶ２が表示されている。
【００９１】
このように給紙カセット対応プレビュー画像ＣＰＶをプレビューウィンドウＰＷ内に一覧表示することにより、複数の印刷データＲＰＤに基づく印刷を行なう場合、どの印刷データＲＰＤがどの給紙カセット２１より印刷用紙２４の供給を受けるかを容易に確認することができる。
【００９２】
プレビュー表示を行なったならば、図２のステップＳ７へ帰還し、印刷データＲＰＤと給紙カセット２１の対応に満足したか否かを、オペレータは判断する。プレビュー表示の結果、印刷データＲＰＤと給紙カセット２１の対応に不満があった場合、ステップＳ３へ帰還し、これまで説明を行なってきたプロセスを繰り返す。印刷データＲＰＤと給紙カセット２１の対応にオペレータが満足したならば、ステップＳ８へ移行し、オペレータは印刷データＲＰＤの印刷を印刷システム１００のコントローラ１に指示する。印刷機２は、給紙カセット指定情報ＣＪに基づいて、印刷データＲＰＤの印刷を実行する。また、コントローラ１より送信される合紙供給信号ＡＣＤを印刷機２が受信した場合、制御部２０が合紙を供給する。
【００９３】
このように、図１に示した印刷システム１００が図２および図６のフローチャートに示した動作を行なうことにより、印刷データＲＰＤにより表現される印刷像が印刷機２に備えられた複数の給紙カセット各々より供給されるどの印刷用紙２４に印刷されるかをプレビューウィンドウＰＷで確認することができる。これにより、所望する印刷像が所望する印刷用紙に確実に印刷されるかどうかを印刷前に確認することができるので、従来の問題点を解決する効果を奏することができる。
【００９４】
「変形例」
これまでの説明では、給紙カセット２１各々ごとに給紙カセット識別情報ＣＣを設定するようにしていたが、特定の給紙カセット２１のみに給紙カセット識別情報ＣＣを設定するようにしてもよい。
例えば、合紙を供給する給紙カセット２１「＃３」のみに給紙カセット識別情報ＣＣを設定すれば、合紙の給紙カセット対応プレビュー画像ＡＣＰＶのみが給紙カセット識別情報ＣＣによるプレビュー表示が為されるので、合紙を供給する給紙カセット２１のみを特に把握することができる。これにより、合紙の供給に関する判断を容易に行なうことができる、という効果を得ることができる。
【００９５】
また、これまでの説明では、給紙カセット識別情報ＣＣとして、色に関する情報を設定するようにしていたが、給紙カセット２１の番号、給紙カセット２１の名称、あるいは給紙カセット２１に格納された印刷用紙２４の種類に関する情報を、給紙カセット識別情報ＣＣとして使用してもよい。
例えば、図１４（ａ）に示すように、給紙カセット識別情報ＣＣとして、給紙カセット２１各々ごとに印刷用紙２４の種類に関する情報を使用した場合、給紙カセット対応プレビュー画像ＤＣＰＶを一覧表示したものが、図１４（ｂ）のようなプレビュー表示であってもよい。このような給紙カセット対応プレビュー画像ＣＰＶの表示を行なえば、印刷データＲＰＤ各々を印刷する印刷用紙２４の種類を一目で確認することができるので、所望する印刷像が所望する印刷用紙に確実に印刷されるかどうかをさらに容易に確認することができる、という効果を得ることができる。無論、この場合でも、給紙カセット対応プレビュー画像ＣＰＶにおける給紙カセット識別情報ＣＣの表示形式は、背景や周縁であってもよい。
【００９６】
なお、これまでの説明では、給紙対応プレビュー画像ＣＰＶを作成するについて、プレビュー画像ＰＶと給紙カセット識別情報ＣＣより作成された背景画像ＢＶ、周縁画像ＳＶ、地紋画像ＤＶとの合成によるものとしてきたが、別の手法を用いて、給紙カセット対応プレビュー画像ＣＰＶを作成してもよい。
例えば、プレビュー画像作成部１７５が、印刷用紙２４の用紙サイズより得られるプレビュー表示領域ＰＥに、背景画像ＢＶ、周縁画像ＳＶ、あるいは地紋画像ＤＶを先に書込み、その後印刷データＲＰＤにより表現される印刷像を間引き・縮小してプレビュー画像ＰＶを作成するようにしてもよい。このような合成手法であっても、これまでの説明と同様の給紙カセット対応プレビュー画像ＣＰＶを作成することができる。
【００９７】
また、これまでの説明では、印刷データＲＰＤは１枚の印刷用紙２４に印刷するものであるよう説明を行なってきたが、印刷システム１００において、一つの印刷データＲＰＤを複数の印刷用紙２４に印刷する場合であっても、複数の印刷データＲＰＤをそれぞれ複数の印刷用紙２４に印刷する場合であっても、本発明を適用することができる。
【００９８】
加えて、これまでの説明では、印刷機２に備えられた給紙カセット２１は３個であるとして説明を行なってきたが、給紙カセット２１が２個であっても、あるいは４個以上であっても、本発明を適用することができる。
【００９９】
さらに、これまでの説明では、印刷データＲＰＤの印刷用紙２４に対する印刷について片面印刷であるよう説明を行なってきたが、二つの印刷データＲＰＤを１枚の印刷用紙２４に印刷する両面印刷であっても、本発明を適用することができる。
【図面の簡単な説明】
【図１】印刷システム１００の構成を説明するための図である。
【図２】印刷システム１００の動作を説明するためのフローチャートである。
【図３】給紙カセット識別情報設定メニューＭＣＣ、および給紙カセット識別情報ＣＣを説明するための図である。
【図４】給紙カセット指定メニューＭＣＪ、および給紙カセット指定情報ＣＪを説明するための図である。
【図５】合紙挿入位置指定メニューＭＡＩ、および合紙挿入位置指定情報ＡＩを説明するための図である。
【図６】合紙給紙カセット指定メニューＭＡＪ、および合紙給紙カセット指定情報ＡＪを説明するための図である。
【図７】ステップＳ６における動作を詳細に説明するためのフローチャートである。
【図８】プレビュー表示設定メニューＭＰＪ、およびプレビュー表示設定情報ＰＪを説明するための図である。
【図９】給紙カセット−印刷データ対応テーブル１７５１を説明するための図である。
【図１０】プレビューウィンドウＰＷに表示された給紙カセット対応プレビュー画像ＢＣＰＶを説明するための図である。
【図１１】プレビューウィンドウＰＷに表示された給紙カセット対応プレビュー画像ＳＣＰＶを説明するための図である。
【図１２】プレビューウィンドウＰＷに表示された給紙カセット対応プレビュー画像ＤＣＰＶを説明するための図である。
【図１３】プレビューウィンドウＰＷに一覧表示された給紙カセット対応プレビュー画像ＤＣＰＶおよびＡＣＰＶを説明するための図である。
【図１４】本発明の変形例を説明するための図である。
【符号の説明】
１　コントローラ
２　印刷機
１１　ＣＰＵ
１２　表示部
１３　入力部
１４　ネットワークＩ／Ｆ
１５　メディアドライブ
１６　記憶部
１７　メモリ
１８　メディアディスク
２０　制御部
２１　給紙カセット
２２　印刷部
２３　排紙部
２４　印刷用紙
２５　印刷物
３１、４１　給紙カセット表示欄
３２　給紙カセット識別情報指定欄
３３　給紙カセット識別情報変更ボタン
３４、４４、５４、６３、８４　ＯＫボタン
４２　印刷データ指定欄
４３　印刷データ変更ボタン
５１　ジョブ別合紙挿入指定欄
５２　ページ指定合紙挿入指定欄
５３　繰り返し合紙挿入指定欄
６１　合紙給紙カセット指定欄
６２　合紙給紙カセット変更ボタン
８１　プレビュー画像表示形式設定欄
８２　給紙カセット識別表示設定欄
８３　プレビュー画像指定欄
１００　印刷システム
１７１　給紙カセット識別情報設定部
１７２　給紙カセット指定部
１７３　合紙挿入位置指定部
１７４　合紙給紙カセット指定部
１７５　プレビュー画像作成部
１７６　プレビュー画像表示部
１７５１　給紙カセット−印刷データ対応テーブル
１７５２　プレビュー画像−給紙カセット識別情報合成部
１７６１　プレビュー画像一覧表示部
ＡＩ　合紙挿入位置指定情報
ＡＪ　合紙給紙カセット指定情報
ＢＶ　背景画像
ＣＣ　給紙カセット識別情報
ＣＪ　給紙カセット指定情報
ＣＬ　通信線
ＣＰＶ、ＡＣＰＶ、ＢＣＰＶ、ＳＣＰＶ、ＤＣＰＶ　給紙カセット対応プレビュー画像
ＤＶ　地紋画像
ＭＡＩ　合紙挿入位置指定メニュー
ＭＡＪ　合紙給紙カセット指定メニュー
ＭＣＣ　給紙カセット識別情報設定メニュー
ＭＣＪ　給紙カセット指定メニュー
ＭＰＪ　プレビュー表示設定メニュー
ＲＰＤ　印刷データ
ＰＪ　プレビュー表示設定情報
ＰＶ　プレビュー画像
ＰＷ　プレビューウィンドウ
ＳＶ　周縁画像
【図１】
2004118277.tif 000003
【図２】
2004118277.tif 000004
【図３】
2004118277.tif 000005
【図４】
2004118277.tif 000006
【図５】
2004118277.tif 000007
【図６】
2004118277.tif 000008
【図７】
2004118277.tif 000009
【図８】
2004118277.tif 000010
【図９】
2004118277.tif 000011
【図１０】
2004118277.tif 000012
【図１１】
2004118277.tif 000013
【図１２】
2004118277.tif 000014
【図１３】
2004118277.tif 000015
【図１４】
2004118277.tif 000016